(57)【要約】  無線通信ネットワークにおける、アプリケーション対応スケジューリングのための告知メッセージのための方法および装置が、拡張プロトコル向けのネットワークタイプおよびソフトウェアバージョン番号（Ｎ−ＴＳＶＮ）を示す告知メッセージを含むＲＲＣ接続再設定メッセージを、ネットワークノードから受信することを含む。ＵＥソフトウェアバージョン番号（ＵＥ−ＳＶＮ）が、告知メッセージにおいて受信されるＮ−ＴＳＶＮと互換性があると判定してもよい。ＵＥは、ＵＥ−ＳＶＮがＮ−ＴＳＶＮと互換性があると判定するのに応答して、ＵＥ−ＳＶＮを含む初期メッセージをネットワークノードに送信してもよい。【選択図】図１
2019501578.tif 000002
【特許請求の範囲】
【請求項１】
無線通信ネットワークのためのユーザ装置（ＵＥ）（２０００）による方法であって、
拡張プロトコル向けのネットワークのタイプおよびソフトウェアバージョン番号（Ｎ−ＴＳＶＮ）を示す告知メッセージを含む無線リソース制御（ＲＲＣ）接続再設定メッセージを、ネットワークノード（２１００）から受信すること（１５００）と、
ＵＥソフトウェアバージョン番号（ＵＥ−ＳＶＮ）が、前記告知メッセージにおいて受信された前記Ｎ−ＴＳＶＮと互換性があると判定すること（１５０２）と、
前記ＵＥ−ＳＶＮが前記Ｎ−ＴＳＶＮと互換性があると判定するのに応答して、前記ＵＥ−ＳＶＮを含む初期メッセージを前記ネットワークノード（２１００）に送信すること（１５０４）と
を含む、方法。
【請求項２】
複数の測定情報要素のそれぞれの値に基づいて、前記告知メッセージが前記ＲＲＣ接続再設定メッセージの一部分であると認識すること（１６０２）をさらに含む、請求項１に記載の方法。
【請求項３】
前記複数の測定情報要素が、イベントフィールド、イベント識別フィールド、ヒステリシスフィールド、参照信号受信電力（ＲＳＲＰ）フィールド、および／または閾値エボルブド地上無線アクセス（ＥＵＴＲＡ）フィールドを含む、請求項２に記載の方法。
【請求項４】
前記告知メッセージが前記ＲＲＣ接続再設定メッセージの前記一部分であると前記認識することが、
前記複数の測定情報要素についての所定の１組のフィールド値のそれぞれと一致する、前記イベントフィールドのイベント値、前記イベント識別フィールドのイベント識別値、前記ヒステリシスフィールドのヒステリシス値、前記ＲＳＲＰフィールドのＲＳＲＰ値、および閾値ＥＵＴＲＡフィールドの閾値ＥＵＴＲＡ値に基づいて、前記告知メッセージが前記ＲＲＣ接続再設定メッセージの前記一部分であると判定すること（１７０２）を含む、請求項３に記載の方法。
【請求項５】
前記イベント値が、トリガされたレポートを示し、
前記イベント識別値が、イベントＡ２を示し、
前記ヒステリシス値が、２５〜３０の範囲内の値であり、
前記ＲＳＲＰ値が、１に等しく、
前記閾値ＥＵＴＲＡの値が、ＲＳＲＰ−Ｒａｎｇｅを示す、請求項４に記載の方法。
【請求項６】
前記Ｎ−ＴＳＶＮが、最古のソフトウェアバージョン番号（Ｏ−ＳＶＮ）および最新のソフトウェアバージョン番号（Ｌ−ＳＶＮ）を含む、請求項１から５のいずれか一項に記載の方法。
【請求項７】
前記ＵＥ−ＳＶＮが前記Ｎ−ＴＳＶＮと互換性があると前記判定すること（１５０２）は、
前記ＵＥ−ＳＶＮが前記Ｏ−ＳＶＮ以上であり、前記ＵＥ−ＳＶＮが前記Ｌ−ＳＶＮ以下であると判定すること（１８０２）を含む、請求項６に記載の方法。
【請求項８】
前記告知メッセージが、前記Ｏ−ＳＶＮを示すように再マッピングされるｒｅｐｏｒｔＩｎｔｅｒｖａｌ情報要素を含み、
前記告知メッセージが、前記Ｌ−ＳＶＮを示すように再マッピングされるＴｉｍｅＴｏＴｒｉｇｇｅｒ情報要素を含む、請求項６または７に記載の方法。
【請求項９】
前記Ｎ−ＴＳＶＮが、ネットワークタイプおよび拡張プロトコル論理チャネル識別情報（ＸＬＣＩＤ）を含む、請求項１から８のいずれか一項に記載の方法。
【請求項１０】
前記告知メッセージが、前記ネットワークタイプを示すように再マッピングされるｒｅｐｏｒｔＡｍｏｕｎｔ情報要素を含み、
前記告知メッセージが、前記ＸＬＣＩＤを示すようにまとめて再マッピングされるｔｒｉｇｇｅｒＱｕａｎｔｉｔｙ情報要素およびｒｅｐｏｒｔＱｕａｎｔｉｔｙ情報要素を含む、請求項９に記載の方法。
【請求項１１】
前記初期メッセージがＵＥ−ＴＳＶＮを含み、
前記ＵＥ−ＴＳＶＮが、ＵＥタイプおよび前記ＵＥ−ＳＶＮを含む、請求項１から１０のいずれか一項に記載の方法。
【請求項１２】
ＵＥ（２０００）のプロセッサによって実行されると、請求項１から１１のいずれか一項に記載の動作を前記ＵＥ（２０００）に実行させるプログラムコード（２０１２）を記憶する、非一時的コンピュータ読取り可能媒体を含む、コンピュータプログラム製品。
【請求項１３】
請求項１から１１のいずれか一項に記載の動作を実行するように設定された、ユーザ装置（ＵＥ）（２０００）。
【請求項１４】
無線通信ネットワークで動作するユーザ装置（ＵＥ）（２０００）であって、
拡張プロトコル向けのネットワークのタイプおよびソフトウェアバージョン番号（Ｎ−ＴＳＶＮ）を示す告知メッセージを含むＲＲＣ接続再設定メッセージをネットワークノード（２１００）から受信するように設定された受信モジュール（２２０２）と、
ＵＥソフトウェアバージョン番号（ＵＥ−ＳＶＮ）が、前記告知メッセージにおいて受信された前記Ｎ−ＴＳＶＮと互換性があると判定するように設定された判定モジュール（２２０４）と、
前記ＵＥ−ＳＶＮが前記Ｎ−ＴＳＶＮと互換性があると判定するのに応答して、前記ＵＥ−ＳＶＮを含む初期メッセージを前記ネットワークノード（２１００）に送信するように設定された送信モジュール（２２０６）と
を含む、ユーザ装置（ＵＥ）（２０００）。
【請求項１５】
前記受信モジュール、前記判定モジュール、および／または前記送信モジュールが、請求項１から１１のいずれか一項に記載の動作を実行するように設定された、請求項１４に記載のＵＥ（２０００）。
【請求項１６】
無線通信ネットワークで動作するユーザ装置（ＵＥ）（２０００）であって、
前記無線通信ネットワークのネットワークノード（２１００）との無線通信を提供するように設定された送受信機（２０２０）と、
コンピュータ実行可能命令を記憶するように設定されたメモリ（２０１０）と、
前記メモリ（２０１０）および前記送受信機（２０２０）に結合されたプロセッサ（２００２）と
を含み、
前記プロセッサ（２００２）が、前記コンピュータ実行可能命令を実行して、
拡張プロトコル向けのネットワークのタイプおよびソフトウェアバージョン番号（Ｎ−ＴＳＶＮ）を示す告知メッセージを含むＲＲＣ接続再設定メッセージを前記ネットワークノード（２１００）から受信すること（１５００）、
ＵＥソフトウェアバージョン番号（ＵＥ−ＳＶＮ）が、前記告知メッセージにおいて受信された前記Ｎ−ＴＳＶＮと互換性があると判定すること（１５０２）、および
前記ＵＥ−ＳＶＮが前記Ｎ−ＴＳＶＮと互換性があると前記判定するのに応答して、前記ＵＥ−ＳＶＮを含む初期メッセージを前記ネットワークノード（２１００）に送信すること（１５０４）
を含む動作を実行するように設定される、ユーザ装置（ＵＥ）（２０００）。
【請求項１７】
前記プロセッサは、前記コンピュータ実行可能命令を実行して、
複数の測定情報要素のそれぞれの値に基づいて、前記告知メッセージが前記ＲＲＣ接続再設定メッセージの一部分であると認識すること（１６０２）
を含む動作を実行するようにさらに設定される、請求項１６に記載のＵＥ（２０００）。
【請求項１８】
前記複数の測定情報要素が、イベントフィールド、イベント識別フィールド、ヒステリシスフィールド、参照信号受信電力（ＲＳＲＰ）フィールド、および／または閾値エボルブド地上無線アクセス（ＥＵＴＲＡ）フィールドを含む、請求項１６または１７に記載のＵＥ（２０００）。
【請求項１９】
前記告知メッセージが前記ＲＲＣ接続再設定メッセージの前記一部分であると前記認識することが、
前記複数の測定情報要素についての所定の１組のフィールド値のそれぞれと一致する、前記イベントフィールドのイベント値、前記イベント識別フィールドのイベント識別値、前記ヒステリシスフィールドのヒステリシス値、前記ＲＳＲＰフィールドのＲＳＲＰ値、および閾値ＥＵＴＲＡフィールドの閾値ＥＵＴＲＡ値に基づいて、前記告知メッセージが前記ＲＲＣ接続再設定メッセージの前記一部分であると判定すること（１７０２）を含む、請求項１６から１８のいずれか一項に記載のＵＥ（２０００）。
【請求項２０】
前記イベント値が、トリガされたレポートを示し、
前記イベント識別値が、イベントＡ２を示し、
前記ヒステリシス値が、２５〜３０の範囲内の値であり、
前記ＲＳＲＰ値が、１に等しく、
前記閾値ＥＵＴＲＡの値が、ＲＳＲＰ−Ｒａｎｇｅを示す、請求項１９に記載のＵＥ（２０００）。
【請求項２１】
前記Ｎ−ＴＳＶＮが、最古のソフトウェアバージョン番号（Ｏ−ＳＶＮ）および最新のソフトウェアバージョン番号（Ｌ−ＳＶＮ）を含む、請求項１６から２０のいずれか一項に記載のＵＥ（２０００）。
【請求項２２】
前記ＵＥ−ＳＶＮが前記Ｎ−ＴＳＶＮと互換性があると前記判定すること（１５０２）は、
前記ＵＥ−ＳＶＮが前記Ｏ−ＳＶＮ以上であり、前記ＵＥ−ＳＶＮが前記Ｌ−ＳＶＮ以下であると判定すること（１８０２）を含む、請求項１６から２１のいずれか一項に記載のＵＥ（２０００）。
【請求項２３】
前記告知メッセージが、前記Ｏ−ＳＶＮを示すように再マッピングされるｒｅｐｏｒｔＩｎｔｅｒｖａｌ情報要素を含み、
前記告知メッセージが、前記Ｌ−ＳＶＮを示すように再マッピングされるＴｉｍｅＴｏＴｒｉｇｇｅｒ情報要素を含む、請求項２１または２２に記載のＵＥ（２０００）。
【請求項２４】
前記Ｎ−ＴＳＶＮが、ネットワークタイプおよび拡張プロトコル論理チャネル識別情報（ＸＬＣＩＤ）を含む、請求項１６から２３のいずれか一項に記載のＵＥ（２０００）。
【請求項２５】
前記告知メッセージが、前記ネットワークタイプを示すように再マッピングされるｒｅｐｏｒｔＡｍｏｕｎｔ情報要素を含み、
前記告知メッセージが、前記ＸＬＣＩＤを示すようにまとめて再マッピングされるｔｒｉｇｇｅｒＱｕａｎｔｉｔｙ情報要素およびｒｅｐｏｒｔＱｕａｎｔｉｔｙ情報要素を含む、請求項２４に記載のＵＥ（２０００）。
【請求項２６】
前記初期メッセージがＵＥ−ＴＳＶＮを含み、
前記ＵＥ−ＴＳＶＮが、ＵＥタイプおよび前記ＵＥ−ＳＶＮを含む、請求項１６から２５のいずれか一項に記載のＵＥ（２０００）。
【請求項２７】
無線通信ネットワークにおいてユーザ装置（ＵＥ）（２０００）にサーブするネットワークノード（２１００）による方法であって、
拡張プロトコル向けのネットワークのタイプおよびソフトウェアバージョン番号（Ｎ−ＴＳＶＮ）を示す告知メッセージを含むＲＲＣ接続再設定メッセージを前記ＵＥ（２０００）に送信すること（１９００）と、
前記告知メッセージに応答して、前記Ｎ−ＴＳＶＮと互換性があるＵＥのタイプおよびソフトウェアバージョン番号（ＵＥ−ＴＳＶＮ）を示す初期メッセージを前記ＵＥ（２０００）から受信すること（１９０２）と
を含む、方法。
【請求項２８】
前記告知メッセージが、前記ＲＲＣ接続再設定メッセージの複数の測定情報要素を含む、請求項２７に記載の方法。
【請求項２９】
前記複数の測定情報要素が、イベントフィールド、イベント識別フィールド、ヒステリシスフィールド、参照信号受信電力（ＲＳＲＰ）フィールド、および／または閾値エボルブド地上無線アクセス（ＥＵＴＲＡ）フィールドを含む、請求項２８に記載の方法。
【請求項３０】
前記イベントフィールドがイベント値を含み、
前記イベント識別フィールドがイベント識別値を含み、
前記ヒステリシスフィールドがヒステリシス値を含み、
前記ＲＳＲＰフィールドがＲＳＲＰ値を含み、
前記閾値ＥＵＴＲＡフィールドが閾値ＥＵＴＲＡ値を含む、請求項２９に記載の方法。
【請求項３１】
前記イベント値が、トリガされたレポートを示し、
前記イベント識別値が、イベントＡ２を示し、
前記ヒステリシス値が、２５〜３０の範囲内の値であり、
前記ＲＳＲＰ値が、１に等しく、
前記閾値ＥＵＴＲＡの値が、ＲＳＲＰ−Ｒａｎｇｅを示す、請求項３０に記載の方法。
【請求項３２】
前記Ｎ−ＴＳＶＮが、最古のソフトウェアバージョン番号（Ｏ−ＳＶＮ）および最新のソフトウェアバージョン番号（Ｌ−ＳＶＮ）を含む、請求項２７から３１のいずれか一項に記載の方法。
【請求項３３】
前記ＵＥ−ＴＳＶＮが、ＵＥタイプおよび前記ＵＥ−ＳＶＮを含む、請求項２７から３２のいずれか一項に記載の方法。
【請求項３４】
前記ＵＥ−ＳＶＮが前記Ｏ−ＳＶＮ以上であり、前記ＵＥ−ＳＶＮが前記Ｌ−ＳＶＮ以下である、請求項３３に記載の方法。
【請求項３５】
前記告知メッセージが、前記Ｏ−ＳＶＮを示すように再マッピングされるｒｅｐｏｒｔＩｎｔｅｒｖａｌ情報要素を含み、
前記告知メッセージが、前記Ｌ−ＳＶＮを示すように再マッピングされるＴｉｍｅＴｏＴｒｉｇｇｅｒ情報要素を含む、請求項３４に記載の方法。
【請求項３６】
前記Ｎ−ＴＳＶＮが、ネットワークタイプおよび拡張プロトコル論理チャネル識別情報（ＸＬＣＩＤ）を含む、請求項２７から３５のいずれか一項に記載の方法。
【請求項３７】
前記告知メッセージが、前記ネットワークタイプを示すように再マッピングされるｒｅｐｏｒｔＡｍｏｕｎｔ情報要素を含み、
前記告知メッセージが、前記ＸＬＣＩＤを示すようにまとめて再マッピングされるｔｒｉｇｇｅｒＱｕａｎｔｉｔｙ情報要素およびｒｅｐｏｒｔＱｕａｎｔｉｔｙ情報要素を含む、請求項３６に記載の方法。
【請求項３８】
ネットワークノード（２１００）のプロセッサによって実行されると、請求項２７から３７のいずれか一項に記載の動作を前記ネットワークノード（２１００）に実行させるプログラムコードを記憶する、非一時的コンピュータ読取り可能媒体を含む、コンピュータプログラム製品。
【請求項３９】
請求項２７から３７のいずれか一項に記載の動作を実行するように設定された、ネットワークノード（２１００）。
【請求項４０】
無線通信ネットワークにおいて動作するネットワークノード（２１００）であって、
拡張プロトコル向けのネットワークのタイプおよびソフトウェアバージョン番号（Ｎ−ＴＳＶＮ）を示す告知メッセージを含むＲＲＣ接続再設定メッセージをＵＥ（２０００）に送信するように設定された送信モジュール（２３０２）と、
前記告知メッセージに応答して、前記Ｎ−ＴＳＶＮと互換性があるＵＥのタイプおよびソフトウェアバージョン番号（ＵＥ−ＴＳＶＮ）を示す初期メッセージを前記ＵＥ（２０００）から受信するように設定された受信モジュール（２３０４）と
を含む、ネットワークノード（２１００）。
【請求項４１】
前記送信モジュールおよび／または前記受信モジュールが、請求項２７から３７のいずれか一項に記載の動作を実行するように設定された、請求項３９に記載のネットワークノード（２１００）。
【請求項４２】
無線通信ネットワークにおいて、ユーザ装置（ＵＥ）（２０００）にサーブするネットワークノード（２１００）であって、
前記無線通信ネットワークの前記ＵＥ（２０００）との無線通信を提供するように設定された送受信機（２１３０）と、
コンピュータ実行可能命令を記憶するように設定されたメモリ（２１１０）と、
前記メモリおよび前記送受信機（２１３０）に結合されたプロセッサ（２１０２）と
を含み、
前記プロセッサ（２１０２）が、前記コンピュータ実行可能命令を実行して、請求項２７から３７のいずれか一項に記載の動作を実行するように設定される、ネットワークノード（２１００）。
【請求項４３】
無線通信ネットワークにおいて、ユーザ装置（ＵＥ）（２０００）にサーブするネットワークノード（２１００）であって、
前記無線通信ネットワークの前記ＵＥ（２０００）との無線通信を提供するように設定された送受信機（２１３０）と、
コンピュータ実行可能命令を記憶するように設定されたメモリ（２１１０）と、
前記メモリおよび前記送受信機（２１３０）に結合されたプロセッサ（２１０２）と
を含み、
前記プロセッサ（２１０２）が、前記コンピュータ実行可能命令を実行して、
拡張プロトコル向けのネットワークのタイプおよびソフトウェアバージョン番号（Ｎ−ＴＳＶＮ）を示す告知メッセージを含むＲＲＣ接続再設定メッセージを前記ＵＥ（２０００）に送信すること（１９００）、および
前記告知メッセージに応答して、前記Ｎ−ＴＳＶＮと互換性があるＵＥのタイプおよびソフトウェアバージョン番号（ＵＥ−ＴＳＶＮ）を示す初期メッセージを前記ＵＥ（２０００）から受信すること（１９０２）
を含む動作を実行するように設定される、ネットワークノード（２１００）。
【請求項４４】
前記告知メッセージが、前記ＲＲＣ接続再設定メッセージの複数の測定情報要素を含む、請求項４３に記載のネットワークノード（２１００）。
【請求項４５】
前記複数の測定情報要素が、イベントフィールド、イベント識別フィールド、ヒステリシスフィールド、参照信号受信電力（ＲＳＲＰ）フィールド、および／または閾値エボルブド地上無線アクセス（ＥＵＴＲＡ）フィールドを含む、請求項４４に記載のネットワークノード（２１００）。
【請求項４６】
前記イベントフィールドがイベント値を含み、
前記イベント識別フィールドがイベント識別値を含み、
前記ヒステリシスフィールドがヒステリシス値を含み、
前記ＲＳＲＰフィールドがＲＳＲＰ値を含み、
前記閾値ＥＵＴＲＡフィールドが閾値ＥＵＴＲＡ値を含む、請求項４５に記載のネットワークノード（２１００）。
【請求項４７】
前記イベント値が、トリガされたレポートを示し、
前記イベント識別値が、イベントＡ２を示し、
前記ヒステリシス値が、２５〜３０の範囲内の値であり、
前記ＲＳＲＰ値が、１に等しく、
前記閾値ＥＵＴＲＡの値が、ＲＳＲＰ−Ｒａｎｇｅを示す、請求項４６に記載のネットワークノード（２１００）。
【請求項４８】
前記Ｎ−ＴＳＶＮが、最古のソフトウェアバージョン番号（Ｏ−ＳＶＮ）および最新のソフトウェアバージョン番号（Ｌ−ＳＶＮ）を含む、請求項４３から４７のいずれか一項に記載のネットワークノード（２１００）。
【請求項４９】
前記ＵＥ−ＴＳＶＮが、ＵＥタイプおよび前記ＵＥ−ＳＶＮを含む、請求項４３から４８のいずれか一項に記載のネットワークノード（２１００）。
【請求項５０】
前記ＵＥ−ＳＶＮが前記Ｏ−ＳＶＮ以上であり、前記ＵＥ−ＳＶＮが前記Ｌ−ＳＶＮ以下である、請求項４９に記載のネットワークノード（２１００）。
【請求項５１】
前記告知メッセージが、前記Ｏ−ＳＶＮを示すように再マッピングされるｒｅｐｏｒｔＩｎｔｅｒｖａｌ情報要素を含み、
前記告知メッセージが、前記Ｌ−ＳＶＮを示すように再マッピングされるＴｉｍｅＴｏＴｒｉｇｇｅｒ情報要素を含む、請求項５０に記載のネットワークノード（２１００）。
【請求項５２】
前記Ｎ−ＴＳＶＮが、ネットワークタイプおよび拡張プロトコル論理チャネル識別情報（ＸＬＣＩＤ）を含む、請求項４３から５１のいずれか一項に記載のネットワークノード（２１００）。
【請求項５３】
前記告知メッセージが、前記ネットワークタイプを示すように再マッピングされるｒｅｐｏｒｔＡｍｏｕｎｔ情報要素を含み、
前記告知メッセージが、前記ＸＬＣＩＤを示すようにまとめて再マッピングされるｔｒｉｇｇｅｒＱｕａｎｔｉｔｙ情報要素およびｒｅｐｏｒｔＱｕａｎｔｉｔｙ情報要素を含む、請求項５２に記載のネットワークノード（２１００）。
【発明の詳細な説明】
【技術分野】
【０００１】
関連出願の相互参照
本出願は、２０１５年１２月１日出願の米国仮出願第６２／２６１，３８３号の優先権の利益を主張し、その開示全体が、参照により本明細書に組み込まれる。
【０００２】
本開示は、無線通信システム内のネットワークノードおよびユーザ装置による、方法および動作に関する。
【背景技術】
【０００３】
従来型の無線通信ネットワークでは、ユーザ装置（ＵＥ）は、このＵＥの現在のアプリケーション要件をネットワークノードに通知する機構をもたないことがある。状況によっては、ＵＥは、重要ではないアプリケーション関連のネットワーク活動を、より適切な将来の時点にまで延期できないことがある。従来型のモバイルネットワーク内のネットワークノードは、その現在の選択肢をアプリケーションに知らせることのできる機構をもたないことがあり、状況によっては、このモバイルネットワークは、重要ではないアプリケーション関連のネットワーク活動を、より適切な将来の時点にスケジューリングできないことがある。
【０００４】
多くのネットワークオペレータによって使用される従来型ポリシーは、アプリケーション要件に無関係であることがあり、同じスケジューリングおよび無線ベアラの実現を伴うデフォルトベアラにマージされたインターネットデータを処理することがある。これらの場合、オペレータには、アプリケーションの要件および／または性能への見通しがないことがある。さらに、アプリケーションプロバイダによって使用されるポリシーは、無線機能の要件に無関係であることがあり、無線能力の要件を考慮することなく、同じ終端間の移送制御を用いてトランザクションを処理することがある。アプリケーションプロバイダは、モバイルネットワークの能力および性能を見通せないことがある。
【０００５】
アプリケーション要件、アプリケーション性能、および／または無線能力に無関係なポリシーを有する従来型のシステムは、無線通信ネットワークの性能を制限することがある。
【０００６】
背景技術のセクションで説明した手法を追求することも可能であるが、必ずしも、これまでに考案され、または追求されてきた手法ではない。したがって、本明細書において別段示されていない限り、背景技術のセクションで説明した手法は、本出願の特許請求の範囲に対する従来技術ではなく、背景技術のセクションに含まれることによって従来技術であると認められるものではない。
【発明の概要】
【０００７】
発明概念のいくつかの実施形態によれば、無線通信ネットワークのためのユーザ装置（ＵＥ）による方法を提供することができる。この方法は、拡張プロトコル向けのネットワークのタイプおよびソフトウェアバージョン番号（Ｎ−ＴＳＶＮ）を示す告知メッセージを含むＲＲＣ接続再設定メッセージをネットワークノードから受信することと、ＵＥソフトウェアバージョン番号（ＵＥ−ＳＶＮ）が、告知メッセージにおいて受信されたＮ−ＴＳＶＮと互換性があると判定することと、ＵＥ−ＳＶＮがＮ−ＴＳＶＮと互換性があると判定するのに応答して、ＵＥ−ＳＶＮを含む初期メッセージをネットワークノードに送信することとを含んでもよい。
【０００８】
これらの実施形態によってもたらされる潜在的な利点は、ＵＥおよびネットワークノードが、アプリケーション対応のリソーススケジューリングを実行するように調整できるようにすることである。この方法は、ネットワークノードからＵＥによって、告知メッセージを受信できるようにし、その結果、次いでＵＥは、このＵＥの現在のアプリケーション要件をネットワークノードに通知してもよい。ネットワークノードは、ＵＥのアプリケーション要件、アプリケーション性能、および／または無線能力に基づいて、スケジューリングを変更してもよい。この方法は、ＵＥが電池使用量を低減し、かつ／または無線ネットワークでのレイテンシを短縮できるように、効率的なリソーススケジューリングを可能にすることができる。
【０００９】
さらなる実施形態によっては、この方法は、告知メッセージが、複数の測定情報要素のそれぞれの値に基づいて、ＲＲＣ接続再設定メッセージの一部分であると認識することを含んでもよい。この複数の測定情報要素は、イベントフィールド、イベント識別フィールド、ヒステリシスフィールド、参照信号受信電力（ＲＳＲＰ）フィールド、および／または閾値エボルブド地上無線アクセス（ＥＵＴＲＡ）フィールドを含んでもよい。
【００１０】
さらなる実施形態によっては、告知メッセージがＲＲＣ接続再設定メッセージの一部分であると認識することは、複数の測定情報要素についての所定の１組のフィールド値のそれぞれと一致する、イベントフィールドのイベント値、イベント識別フィールドのイベント識別値、ヒステリシスフィールドのヒステリシス値、ＲＳＲＰフィールドのＲＳＲＰ値、および閾値ＥＵＴＲＡフィールドの閾値ＥＵＴＲＡ値に基づいて、この告知メッセージがＲＲＣ接続再設定メッセージの一部分であると判定することを含んでもよい。実施形態によっては、イベント値はトリガされたレポートを示してもよく、イベント識別値はイベントＡ２を示してもよく、ヒステリシス値は２５〜３０の範囲内の値でもよく、ＲＳＲＰ値は１に等しくてもよく、閾値ＥＵＴＲＡの値はＲＳＲＰ−Ｒａｎｇｅを示してもよい。
【００１１】
さらなる実施形態によっては、Ｎ−ＴＳＶＮは、最古のソフトウェアバージョン番号（Ｏ−ＳＶＮ）および最新のソフトウェアバージョン番号（Ｌ−ＳＶＮ）を含んでもよい。ＵＥ−ＳＶＮがＮ−ＴＳＶＮと互換性があると判定することは、ＵＥ−ＳＶＮがＯ−ＳＶＮ以上であり、またＵＥ−ＳＶＮがＬ−ＳＶＮ以下であると判定することを含んでもよい。
【００１２】
さらなる実施形態によっては、告知メッセージは、Ｏ−ＳＶＮを示すように再マッピングされるｒｅｐｏｒｔＩｎｔｅｒｖａｌ情報要素を含んでもよい。告知メッセージは、Ｌ−ＳＶＮを示すように再マッピングされるＴｉｍｅＴｏＴｒｉｇｇｅｒ情報要素を含んでもよい。Ｎ−ＴＳＶＮは、ネットワークタイプおよび拡張プロトコル論理チャネル識別情報（ＸＬＣＩＤ）を含んでもよい。告知メッセージは、ネットワークタイプを示すように再マッピングされるｒｅｐｏｒｔＡｍｏｕｎｔ情報要素を含んでもよい。告知メッセージは、ＸＬＣＩＤを示すようにまとめて再マッピングされるｔｒｉｇｇｅｒＱｕａｎｔｉｔｙ情報要素およびｒｅｐｏｒｔＱｕａｎｔｉｔｙ情報要素を含んでもよい。初期メッセージは、ＵＥ−ＴＳＶＮを含んでもよい。このＵＥ−ＴＳＶＮは、ＵＥタイプおよびＵＥ−ＳＶＮを含んでもよい。
【００１３】
他のいくつかの実施形態は、ＵＥのプロセッサによって実行されると、このＵＥに前述の動作のいずれかを実行させるプログラムコードを記憶する、非一時的コンピュータ読取り可能媒体を含む、コンピュータプログラム製品を対象とする。他のいくつかの実施形態は、前述の動作を実行するように設定されたユーザ装置（ＵＥ）を対象とする。
【００１４】
他のいくつかの実施形態は、無線通信ネットワークで動作する、ユーザ装置（ＵＥ）を対象とする。このＵＥは、拡張プロトコル向けのネットワークのタイプおよびソフトウェアバージョン番号（Ｎ−ＴＳＶＮ）を示す告知メッセージを含むＲＲＣ接続再設定メッセージをネットワークノードから受信するように設定された受信モジュールと、ＵＥソフトウェアバージョン番号（ＵＥ−ＳＶＮ）が、告知メッセージにおいて受信されたＮ−ＴＳＶＮと互換性があると判定するように設定された判定モジュールと、ＵＥ−ＳＶＮがＮ−ＴＳＶＮと互換性があると判定するのに応答して、ＵＥ−ＳＶＮを含む初期メッセージをネットワークノードに送信するように設定された送信モジュールとを含む。この受信モジュール、判定モジュール、および／または送信モジュールは、前述の実施形態のいずれかによる動作を実行するように設定してもよい。
【００１５】
他のいくつかの実施形態は、無線通信ネットワークで動作する、ユーザ装置（ＵＥ）を対象とする。ＵＥは、無線通信ネットワークのネットワークノードとの無線通信を提供するように設定された送受信機、コンピュータ実行可能命令を記憶するように設定されたメモリ、ならびにメモリおよび送受信機に結合されたプロセッサを含む。このプロセッサは、コンピュータ実行可能命令を実行して、拡張プロトコル向けのネットワークのタイプおよびソフトウェアバージョン番号（Ｎ−ＴＳＶＮ）を示す告知メッセージを含むＲＲＣ接続再設定メッセージをネットワークノードから受信することと、ＵＥソフトウェアバージョン番号（ＵＥ−ＳＶＮ）が、告知メッセージにおいて受信されたＮ−ＴＳＶＮと互換性があると判定することと、ＵＥ−ＳＶＮがＮ−ＴＳＶＮと互換性があると判定するのに応答して、ＵＥ−ＳＶＮを含む初期メッセージをネットワークノードに送信することとを含む動作を実行するように設定される。
【００１６】
他のいくつかの実施形態は、無線通信ネットワークにおいてＵＥにサーブするネットワークノードによる方法を対象とする。この方法は、拡張プロトコル向けのネットワークのタイプおよびソフトウェアバージョン番号（Ｎ−ＴＳＶＮ）を示す告知メッセージを含むＲＲＣ接続再設定メッセージをＵＥに送信することと、この告知メッセージに応答して、Ｎ−ＴＳＶＮと互換性があるＵＥのタイプおよびソフトウェアバージョン番号（ＵＥ−ＴＳＶＮ）を示す初期メッセージをＵＥから受信することとを含む。
【００１７】
実施形態によっては、この告知メッセージは、ＲＲＣ接続再設定メッセージの複数の測定情報要素を含んでもよい。この複数の測定情報要素は、イベントフィールド、イベント識別フィールド、ヒステリシスフィールド、参照信号受信電力（ＲＳＲＰ）フィールド、および／または閾値エボルブド地上無線アクセス（ＥＵＴＲＡ）フィールドを含んでもよい。イベントフィールドはイベント値を含み、イベント識別フィールドはイベント識別値を含み、ヒステリシスフィールドはヒステリシス値を含み、ＲＳＲＰフィールドはＲＳＲＰ値を含み、閾値ＥＵＴＲＡフィールドは閾値ＥＵＴＲＡ値を含む。このイベント値はトリガされたレポートを示してもよく、イベント識別値はイベントＡ２を示してもよく、ヒステリシス値は２５〜３０の範囲内の値でもよく、ＲＳＲＰ値は１に等しくてもよく、閾値ＥＵＴＲＡの値はＲＳＲＰ−Ｒａｎｇｅを示してもよい。
【００１８】
実施形態によっては、Ｎ−ＴＳＶＮは、最古のソフトウェアバージョン番号（Ｏ−ＳＶＮ）および最新のソフトウェアバージョン番号（Ｌ−ＳＶＮ）を含む。このＵＥ−ＴＳＶＮは、ＵＥタイプおよびＵＥ−ＳＶＮを含んでもよい。ＵＥ−ＳＶＮは、Ｏ−ＳＶＮ以上でもよく、またＬ−ＳＶＮ以下でもよい。告知メッセージは、Ｏ−ＳＶＮを示すように再マッピングされるｒｅｐｏｒｔＩｎｔｅｒｖａｌ情報要素を含んでもよい。告知メッセージは、Ｌ−ＳＶＮを示すように再マッピングされるＴｉｍｅＴｏＴｒｉｇｇｅｒ情報要素を含んでもよい。Ｎ−ＴＳＶＮは、ネットワークタイプおよび拡張プロトコル論理チャネル識別情報（ＸＬＣＩＤ）を含んでもよい。告知メッセージは、ネットワークタイプを示すように再マッピングされるｒｅｐｏｒｔＡｍｏｕｎｔ情報要素を含んでもよい。告知メッセージは、ＸＬＣＩＤを示すようにまとめて再マッピングされるｔｒｉｇｇｅｒＱｕａｎｔｉｔｙ情報要素およびｒｅｐｏｒｔＱｕａｎｔｉｔｙ情報要素を含んでもよい。
【００１９】
他のいくつかの実施形態は、ネットワークノードのプロセッサによって実行されると、このネットワークノードに前述の動作のいずれかを実行させるプログラムコードを記憶する、非一時的コンピュータ読取り可能媒体を含む、コンピュータプログラム製品を対象とする。他のいくつかの実施形態は、前述の動作を実行するように設定されたネットワークノードを対象とする。
【００２０】
他のいくつかの実施形態は、無線通信ネットワークで動作する、ネットワークノードを対象とする。このネットワークノードは、拡張プロトコル向けのネットワークのタイプおよびソフトウェアバージョン番号（Ｎ−ＴＳＶＮ）を示す告知メッセージを含むＲＲＣ接続再設定メッセージをＵＥに送信するように設定された送信モジュールと、この告知メッセージに応答して、Ｎ−ＴＳＶＮと互換性があるＵＥのタイプおよびソフトウェアバージョン番号（ＵＥ−ＴＳＶＮ）を示す初期メッセージをＵＥから受信するように設定された受信モジュールとを含む。この送信モジュール、および／または受信モジュールは、本明細書に記載の実施形態のいずれかによる動作を実行するように設定してもよい。
【００２１】
他のいくつかの実施形態は、無線通信ネットワークにおいて、ユーザ装置（ＵＥ）にサーブするネットワークノードを対象としており、このネットワークノードは、無線通信ネットワークのＵＥとの無線通信を提供するように設定された送受信機、コンピュータ実行可能命令を記憶するように設定されたメモリ、ならびにメモリおよび送受信機に結合されたプロセッサを含む。プロセッサは、コンピュータ実行可能命令を実行して、本明細書に記載の実施形態のいずれかによる動作を実行するように設定される。
【００２２】
他のいくつかの実施形態は、無線通信ネットワークにおいて、ユーザ装置（ＵＥ）にサーブするネットワークノードを対象としており、このネットワークノードは、無線通信ネットワークのＵＥとの無線通信を提供するように設定された送受信機、コンピュータ実行可能命令を記憶するように設定されたメモリ、ならびにメモリおよび送受信機に結合されたプロセッサを含む。このプロセッサは、コンピュータ実行可能命令を実行して、拡張プロトコル向けのネットワークのタイプおよびソフトウェアバージョン番号（Ｎ−ＴＳＶＮ）を示す告知メッセージを含むＲＲＣ接続再設定メッセージをＵＥに送信することと、この告知メッセージに応答して、Ｎ−ＴＳＶＮと互換性があるＵＥのタイプおよびソフトウェアバージョン番号（ＵＥ−ＴＳＶＮ）を示す初期メッセージをＵＥから受信することとを含む動作を実行するように設定される。
【００２３】
実施形態に従った、ＵＥによる他の方法、ネットワークノードによる方法、およびネットワークノードは、以下の図面および詳細な説明を検討すれば、当業者には明らかであるか、または明らかになろう。このような追加の方法、リソース管理コンピュータノード、および／またはコンピュータプログラム製品は全て、この説明の中に含まれ、添付の特許請求の範囲によって保護されるものである。
【００２４】
本開示の各態様は、一例として図示されるものであり、添付図面によって限定されるものではない。各図面において以下の通りである。
【図面の簡単な説明】
【００２５】
【図１−２】様々な実施形態による、拡張プロトコル向けのネットワークのタイプおよびソフトウェアバージョン番号（Ｎ−ＴＳＶＮ）のフォーマットを示す図である。
【図３】様々な実施形態による、ＵＥのソフトウェアバージョン番号のフォーマットを示す図である。
【図４】様々な実施形態による、ハンドシェークメッセージでの選択肢を指定するためのフォーマットを示す図である。
【図５】様々な実施形態による、初期メッセージでの能力を指定するためのフォーマットを示す図である。
【図６】実施形態による情報要素を示す図である。
【図７Ａ】実施形態による情報要素を示す図である。
【図７Ｂ】実施形態による情報要素を示す図である。
【図８】様々な実施形態による、告知メッセージによって使用される様々なフィールド向けのフィールドの説明を示す図である。
【図９】図７Ａおよび／または図７Ｂの情報要素のフィールドの、条件付きの存在を示す図である。
【図１０−１３】様々な実施形態による情報要素を示す図である。
【図１４】様々な実施形態による、アプリケーション対応スケジューリングの状態図を示す図である。
【図１５】実施形態による、ＵＥにおける方法、およびＵＥによる対応する動作の流れ図である。
【図１６】実施形態による、ＵＥにおける方法、およびＵＥによる対応する動作の流れ図である。
【図１７】実施形態による、ＵＥにおける方法、およびＵＥによる対応する動作の流れ図である。
【図１８】実施形態による、ＵＥにおける方法、およびＵＥによる対応する動作の流れ図である。
【図１９】いくつかの実施形態による、ネットワークノードにおける方法、およびネットワークノードによる対応する動作の流れ図である。
【図２０】本明細書に開示された１つまたは複数の実施形態による動作を実行するように設定された、無線通信ネットワークで使用するためのＵＥの流れ図である。
【図２１】ネットワークノード向けに本明細書に開示された１つまたは複数の実施形態に従って設定された、無線通信ネットワークで使用するためのネットワークノードの流れ図である。
【図２２】いくつかの実施形態に従って本明細書に開示された動作を実行する、図２０のＵＥなどのＵＥに存在するモジュールを示す図である。
【図２３】いくつかの実施形態に従って本明細書に開示された動作を実行する、図２１のネットワークノードなどのネットワークノードに存在するモジュールを示す図である。
【発明を実施するための形態】
【００２６】
次に、発明概念の実施形態の例が示してある添付図面を参照して、以下にこの発明概念をさらに完全に説明する。しかし、各発明概念は、多くの様々な形式で実施してもよく、また本明細書において説明される実施形態に限定されるものと解釈すべきではない。むしろ、これらの実施形態は、本開示が詳細かつ完全になり、本発明概念の範囲を当業者に余すところなく伝えるように提示される。これらの実施形態が互いに矛盾するものではないことにも留意されたい。一実施形態からの各構成要素は、暗黙のうちに、別の実施形態において存在し／使用されるものと考えてもよい。以下に述べる２つ以上の任意の実施形態は、どのような形であれ、互いに組み合わせてもよい。
【００２７】
本開示の実施形態によっては、ＵＥでの方法、およびネットワークノードでの関連する方法を対象とする。本開示の様々な実施形態は、要件の大きな変化を伴う装置タイプおよびアプリケーション向けの無線資源管理での、プロトコル動作用のフレームワーク仕様を対象とする。関連する３ＧＰＰ規格の厳密な規定から外れる、カスタマイズされた動作を確立するために、ＵＥおよびネットワークでの動作構成が提示される。本発明概念は、現在および将来の標準的なエコシステムと両立し得る方式で、標準化された機能に加えて拡張機能を提供する。
【００２８】
本明細書に記載の動作は、クライアント上で実行されるアプリケーションからの瞬時レイテンシおよびスループットの要求に関して、接続およびトラフィックの区別されたアプリケーション対応処理を実現することができる。さらに、本明細書に記載の動作は、モバイルネットワークからの瞬時のリソース提供に関して、トラフィックの区別されたモバイルネットワークリソース対応の処理および可観測性を実現することができる。
【００２９】
実施形態によっては、非限定的な用語であるＵＥが使用される。本明細書でのＵＥは、無線信号を介してネットワークノードまたは別のＵＥと通信できる、任意のタイプの無線装置とすることができる。ＵＥはまた、無線通信装置、ターゲット装置、装置対装置（Ｄ２Ｄ）のＵＥ、マシンタイプのＵＥまたはマシン間通信（Ｍ２Ｍ）が可能なＵＥ、ＵＥを装備するセンサ、ｉＰＡＤ、タブレット、移動端末、スマートフォン、ラップトップ埋込み式機器（ＬＥＥ）、ラップトップ搭載機器（ＬＭＥ）、ＵＳＢドングル、顧客宅内機器（ＣＰＥ）などでもよい。
【００３０】
また、実施形態によっては、「無線ネットワークノード」または単に「ネットワークノード」もしくは「ＮＷノード」という総称的な専門用語が使用されており、これは、基地局、無線基地局、トランシーバ基地局、基地局制御装置、ネットワーク制御装置、エボルブドノードＢ（ｅＮＢ）、ノードＢ、マルチセル／マルチキャスト調整エンティティ（ＭＣＥ）、中継ノード、アクセスポイント、無線アクセスポイント、リモート無線ユニット（ＲＲＵ）、リモート無線ヘッド（ＲＲＨ）、コアネットワークノード（たとえば、トレース収集エンティティ（ＴＣＥ）、移動管理エンティティ（ＭＭＥ）、ドライブテストの最小化（ＭＤＴ）ノード、マルチメディアブロードキャストマルチキャストサービス（ＭＢＭＳ）ノード）、または外部ノード（たとえば、サードパーティノード、現在のネットワークの外部のノード）さえ含んでもよい、任意の種類のノードとすることができる。
【００３１】
本明細書に記載の様々な実施形態による、ネットワークノードおよび／またはＵＥによって実行できる動作の非網羅的なリストは以下の通りである。
−  告知メッセージ（ネットワークによるプロトコルサポートの告知）。
−  告知メッセージ（最古のソフトウェアバージョン（Ｏ−ＳＶＮ）の告知）。
−  告知メッセージ（最も新しい（最新の）ソフトウェアバージョン（Ｌ−ＳＶＮ）の告知）。
−  告知メッセージ（ネットワークタイプ／ブランドの告知）。
−  ＬＣＩＤの目的変更（エボルブドパケットシステム（ＥＰＳ）のベアラマッピング用に予約され、これを再使用して、拡張チャネル上で送信されるメッセージを区別する、論理チャネル識別情報（ＬＣＩＤ）変数空間の代替使用）。
−  初期メッセージ（ＵＥが、ソフトウェアバージョンＵＥ−ＳＶＮ（Ｏ−ＳＶＮ≦ＵＥ−ＳＶＮ≦Ｌ−  ＳＶＮ）を使用するように求める）。
−  初期メッセージ（ＵＥが、フィーチャタイプすなわち１組の機能を使用するように求める）。
−  初期メッセージ（ＵＥが、フィーチャタイプ向けの能力を実現する）。および／または、
−  ハンドシェーク（ネットワークが、フィーチャタイプ用の選択肢を設定する）。
【００３２】
通信ネットワークにおけるアプリケーション対応スケジューリングを改善するための拡張プロトコルが、本明細書に記載されている。いくつかの実施形態によれば、ネットワークが告知メッセージを送信してもよい。この告知メッセージは、ＲＲＣ接続再設定メッセージ内に埋め込まれたＡＳＮ．１構造で符号化してもよく、このメッセージが、ＵＥでの第１の測定制御を指定する。
【００３３】
告知メッセージは、ネットワークが必要とする拡張をＵＥが確実にサポートするように、ネットワークノードが送信してもよく、その結果、このネットワークノードは、ＵＥからの初期メッセージの実現可能な到達について媒体アクセス制御（ＭＡＣ）を監視することができる。初期メッセージは、ＵＥからネットワークノードに送信されて、指定されたプロトコルフィーチャタイプ（ＰＦＴ）用の論理チャネルの確立を要求する。ＵＥ−ＴＳＶＮ、選択肢および／または能力を含め、告知メッセージに含めてもよい様々なパラメータを詳細に説明する。本明細書に記載の通り、各動作は、図２０のユーザ装置（ＵＥ）２０００、および／または図２１のネットワークノード２１００によって実行してもよい。
【００３４】
図１５には、無線通信ネットワークにおいて、図２０のＵＥ２０００によって実行される各動作の流れ図が示してある。ここで図１５を参照すると、ブロック１５００において（たとえば、図２２の受信モジュール２２０２を使用して）、ＵＥ２０００のプロセッサ回路２００２が、図２１のネットワークノード２１００から送受信機２０２０を介して、ＲＲＣ接続再設定メッセージを受信する。このＲＲＣ接続再設定メッセージは、拡張プロトコル向けのネットワークのタイプおよびソフトウェアバージョン番号（Ｎ−ＴＳＶＮ）を示す告知メッセージを含む。告知メッセージは、ピギーバックしてもよく、または既存のＲＲＣ接続再設定メッセージに追加してもよい。実施形態によっては、告知メッセージを示すように特定の値に設定された、１つまたは複数の既存の情報要素を使用することによって、ＲＲＣ接続再設定メッセージに告知メッセージを埋め込んでもよい。ＵＥ２０００のプロセッサ回路２００２が、ブロック１５０２において（たとえば、図２２の判定モジュール２２０４を使用して）、ＵＥソフトウェアバージョン番号（ＵＥ−ＳＶＮ）が、告知メッセージにおいて受信されるＮ−ＴＳＶＮと互換性があると判定してもよい。ＵＥ−ＳＶＮがＮ−ＴＳＶＮと互換性があると判定するのに応答して、ＵＥ２０００のプロセッサ回路２００２は、ブロック１５０４において（たとえば、図２２の送信モジュール２２０６を使用して）、送受信機２０２０を介して、ＵＥ−ＳＶＮを含む初期メッセージをネットワークノード２１００に送信してもよい。
【００３５】
告知メッセージは、ネットワークのタイプおよびソフトウェアバージョン番号（Ｎ−ＴＳＶＮ）を指定してもよい。実施形態によっては、このタイプおよびソフトウェアバージョンは、２つの部分、すなわちＮ−ＴＳＶＮ１およびＮ−ＴＳＶＮ２に分割してもよい。図１には、Ｎ−ＴＳＶＮ１のフォーマットが示してある。Ｎ−ＴＳＶＮ１は、ネットワークによってサポートされるソフトウェアバージョン番号を識別する。Ｎ−ＴＳＶＮ１は、それぞれが４ビットを含む２つの部分として符号化してもよい。１つの部分は、最古のソフトウェアバージョンの番号（Ｏ−ＳＶＮ）を有してもよく、第２の部分は、最新の番号（Ｌ−ＳＶＮ）を有してもよい。Ｏ−ＳＶＮおよびＬ−ＳＶＮは、それぞれ４ビット値空間から割り当てられ、したがって、ＳＶＮは０〜１５となる。図１を参照すると、実施形態によっては、Ｌ−ＳＶＮでの下位４ビットおよび／またはＯ−ＳＶＮでの上位４ビットを使用することによって、Ｎ−ＴＳＶＮ１をアグリゲートしてもよい。ＲＲＣ接続再設定メッセージのｒｅｐｏｒｔＩｎｔｅｒｖａｌおよびＴｉｍｅＴｏＴｒｉｇｇｅｒのフィールドを使用して、Ｌ−ＳＶＮおよび／またはＯ−ＳＶＮに関係する情報を伝達してもよい。
【００３６】
図２には、Ｎ−ＴＳＶＮ２のフォーマットが示してある。Ｎ−ＴＳＶＮ２は、実施形態によっては、ネットワークソフトウェアのタイプ／ブランド、およびＰＦＴ確立を開始するのに使用される論理チャネル識別情報（ＬＣＩＤ）を識別する。図２を参照すると、ネットワークタイプ変数は、ネットワークソフトウェアのタイプおよび／またはブランドを指定するための３ビットを含んでもよい。たとえば、実施形態によっては、ネットワークノードは、３の値（２進数では０１１）を使用して、このネットワークノードを識別してもよい。ネットワークオペレータおよび／またはベンダに基づいて、他の値を予約または規定してもよい。拡張プロトコル論理チャネル識別情報（ＸＬＣＩＤ）は、ＵＥが拡張プロトコルにおいてＰＦＴ確立を開始するのに使用してもよい、論理チャネル識別情報（ＬＣＩＤ）を指定してもよい。たとえば、実施形態によっては、このＵＥは、ＸＬＣＩＤが０に設定される場合はＬＣＩＤ＝１０、ＸＬＣＩＤが１に設定される場合はＬＣＩＤ＝９、またはＸＬＣＩＤが２に設定される場合はＬＣＩＤ＝８を使用してもよい。ＸＬＣＩＤ＝３など、ＸＬＣＩＤの値は、たとえば、予約されているものであり、したがって有効なＸＬＣＩＤではないものと指定してもよい。下位３ビットは、告知メッセージがこの先で使用するために予約してもよい。たとえば、予約済みビット用のｍａｘＲｅｐｏｒｔＣｅｌｌｓ、ネットワークタイプ用のｒｅｐｏｒｔＡｍｏｕｎｔ、ＸＬＣＩＤの下位ビット用のｒｅｐｏｒｔＱｕａｎｔｉｔｙ、および／またはＸＬＣＩＤの上位ビット用のｔｒｉｇｇｅｒＱｕａｎｔｉｔｙなど、ＲＲＣ接続再設定メッセージの既存のフィールドを使用してもよい。
【００３７】
図１６は、ＵＥによる動作の流れ図である。図１６を参照すると、ブロック１６０２において、ＵＥ２０００のプロセッサ回路２００２は、告知メッセージが、複数の測定情報要素のそれぞれの値に基づいて、ＲＲＣ接続再設定メッセージの一部分であると認識することができる。ＲＲＣ接続再設定メッセージのこれらの測定情報要素をＵＥが使用して、告知メッセージを識別してもよい。実施形態によっては、図１６のブロック１６０２の動作に応答して、図１５のブロック１５０２を実行してもよい。図１７を参照すると、ブロック１７０２において、ＵＥ２０００のプロセッサ回路２００２は、複数の測定情報要素についての所定の１組のフィールド値のそれぞれと一致する、イベントフィールドのイベント値、イベント識別フィールドのイベント識別値、ヒステリシスフィールドのヒステリシス値、ＲＳＲＰフィールドのＲＳＲＰ値、および閾値ＥＵＴＲＡフィールドの閾値ＥＵＴＲＡ値に基づいて、告知メッセージがＲＲＣ接続再設定メッセージの一部分であると判定してもよい。ブロック１７０２の動作は、図１６のブロック１６０３の各動作の一部分でもよい。図１８を参照すると、ブロック１８０２において、ＵＥ２０００のプロセッサ回路２００２は、ＵＥ−ＳＶＮがＯ−ＳＶＮ以上であり、またＵＥ−ＳＶＮがＬ−ＳＶＮ以下であると判定してもよい。
【００３８】
図１９は、いくつかの実施形態による、図２１のネットワークノード２１００による動作の流れ図である。無線通信ネットワークにおいて、ネットワークノード２１００は、ユーザ装置である図２０のＵＥ２０００にサーブしてもよい。図１９を参照すると、ブロック１９００において（たとえば、図２３の送信モジュール２３０２を使用して）、ネットワークノード２１００のプロセッサ回路２１０２は、拡張プロトコル向けのネットワークのタイプおよびソフトウェアバージョン番号（Ｎ−ＴＳＶＮ）を示す告知メッセージを含むＲＲＣ接続再設定メッセージを、送受信機２１３０を介してＵＥに送信してもよい。ブロック１９０２において（たとえば、図２３の受信モジュール２３０４を使用して）、ネットワークノード２１００のプロセッサ回路２１０２は、告知メッセージに応答して、Ｎ−ＴＳＶＮと互換性があるＵＥのタイプおよびソフトウェアバージョン番号（ＵＥ−ＴＳＶＮ）を示す初期メッセージを、送受信機２１３０を介してＵＥ２０００から受信してもよい。ＵＥ２０００からネットワークノード２１００に送信される初期メッセージは、ネットワークノード２１００から受信されたＮ−ＴＳＶＮと互換性のある、ＵＥのタイプおよびソフトウェアバージョン番号（ＵＥ−ＴＳＶＮ）を含んでもよい。ＵＥ−ＴＳＶＮは、ＵＥ装置のタイプおよびソフトウェアバージョン番号を識別する。ＵＥ−ＴＳＶＮは、いくつかの部分に符号化してもよい。たとえば、ある１つの部分が、ＵＥソフトウェアのタイプおよび／またはブランドを指定してもよく、第２の部分が、ソフトウェアバージョン番号（ＵＥ−ＳＶＮ）を有していてもよい。実施形態によっては、ＵＥ−ＳＶＮは、Ｏ−ＳＶＮおよびＬ−ＳＶＮと類似しており、４ビット値空間から割り当てられ、したがって、ＳＶＮは０〜１５となる。ＵＥは、ネットワークノードによって送信される告知メッセージと互換性がない場合、この告知メッセージを破棄し、告知メッセージの存在に気づかず、かつ／または告知メッセージを無視してもよい。ＵＥは、ネットワークノードによってブロードキャストされるＲＲＣ接続再設定メッセージ内の告知メッセージを認識するのに応答して、初期メッセージを送信してもよい。
【００３９】
実施形態によっては、ＳＶＮソフトウェアバージョン番号は、ネットワークノードによってサポートされる範囲内にあってもよい。この範囲に基づいて、ＳＶＮソフトウェアバージョン番号は、サポートされている最古のソフトウェアのバージョン番号（Ｏ−ＳＶＮ）以上でもよく、それと同時に、サポートされている最新のソフトウェアのバージョン番号（Ｌ−ＳＶＮ）以下でもよい。Ｏ−ＳＶＮおよびＬ−ＳＶＮは、告知メッセージのコンテンツとしてネットワークノードによって送信してもよい。すなわち、告知メッセージを受信すると、ＵＥは、Ｏ−ＳＶＮ＜ＵＥ−ＳＶＮ＜Ｌ−ＳＶＮかどうか判定することによって、この告知メッセージの有効性を判定する。
【００４０】
実施形態によっては、ＳＶＮおよびＰＦＴは、様々なアイテムを指してもよい。たとえば、特定のソフトウェアバージョンは、１２８ものプロトコルフィーチャタイプ（ＰＦＴ）を含む、２つ以上のＰＦＴをサポートしてもよい。実施形態によっては、たとえば１６ものソフトウェアバージョンなど、２つ以上のソフトウェアバージョンによって、ある種のＰＦＴをサポートしてもよい。ある種の機能グループに割り当てられたＰＦＴ値は異なる場合があるが、通常、ＰＦＴの重要性が判明すれば、その番号を変更しなくてもよい。実施形態によっては、ＵＥタイプは、たとえば、それ自体を識別するための値５（２進数では１０１）を有してもよい。他の値は、この先で使用するのに予約してもよい。
【００４１】
ＵＥからの初期メッセージを受信すると、ネットワークノードは、ハンドシェークメッセージをＵＥに送信してもよい。図４には、ハンドシェークメッセージにおいてネットワークノードによって指定してもよい、選択肢についてのフォーマットが示してある。第２のオクテットを使用して、ＰＦＴ内の選択肢機能向けのネットワークサポートを識別してもよい。実施形態によっては、この選択肢機能は、８ビットを使用して符号化してもよい。各ビットは、ＰＦＴにおけるそれぞれの選択肢の使用可能性を示してもよい。実施形態によっては、ネットワークノードは、ＵＥのミラーリングされた能力において有効化されていない選択肢を有効にしなくてもよい。
【００４２】
実施形態によっては、図５には、初期メッセージに含まれるＵＥの能力のフォーマットが示してある。ＵＥがＰＦＴ機能をサポートするのは、必須となる場合がある。しかし、早期の商用化前のテストおよび／または統合化のための一時的な目的の機能などいくつかの場合には、ＵＥは各機能を無効化してもよい。初期メッセージにおける能力は、続いてネットワークノードが送信するハンドシェークメッセージによってミラーリングしてもよい。
【００４３】
図６および図７Ａ／７Ｂには、本明細書に記載の様々な実施形態による、ネットワークノードおよび／またはＵＥによって使用される情報要素が示してある。図６を参照すると、０〜３０の範囲の整数値を有する、ヒステリシス情報要素が示してある。図７Ａ／７Ｂを参照すると、ＲｅｐｏｒｔＣｏｎｆｉｇＥＵＴＲＡ情報要素が示してある。ＲｅｐｏｒｔＣｏｎｆｉｇＥＵＴＲＡ情報要素の様々なフィールドを告知メッセージの一部として使用してもよく、次にこれを詳しく説明する。イベントＩＤ情報要素を使用して、告知メッセージを区別してもよく、イベントＡ２に設定してもよい。ヒステリシス情報要素を使用して告知メッセージを識別し、またこれを２５〜３０の範囲の値に設定して、告知メッセージを示してもよい。実施形態によっては、３０の値は、告知メッセージでのヒステリシス情報要素の適切な値でもよい。ｍａｘＲｅｐｏｒｔＣｅｌｌｓ情報要素は、ＩＮＴＥＧＥＲ（１〜ｍａｘＣｅｌｌＲｅｐｏｒｔ）の範囲での値のＡＳＮ．１符号化に関連付けられた３ビットの符号空間であり、変数Ｎ−ＴＳＶＮ２で使用してもよい。ｍａｘＲｅｐｏｒｔＣｅｌｌｓフィールドの、第１、第２、および第３の最小有効ビットを使用してもよい。これらのビットを、Ｎ−ＴＳＶＮ２内に予約してもよい。「ＥＮＵＭＥＲＡＴＥＤ｛ｒ１，ｒ２，ｒ４，ｒ８，ｒ１６，ｒ３２，ｒ６４，ｉｎｆｉｎｉｔｙ｝」の範囲の値のＡＳＮ．１符号化に関連付けられた３ビット符号空間を使用する告知メッセージによって、ｒｅｐｏｒｔＡｍｏｕｎｔ情報要素を使用してもよい。ｒｅｐｏｒｔＡｍｏｕｎｔ情報要素を使用して、ネットワークタイプを符号化してもよい。ｒｅｐｏｒｔＩｎｔｅｒｖａｌ情報要素の符号空間は、この情報要素のＡＳＮ．１符号化に関連付けられた４ビット符号空間を用いて告知メッセージが使用して、４つの最大有効ビットを使用する変数Ｎ−ＴＳＶＮ１を示してもよい。これらのビットを使用して、Ｏ−ＳＶＮを符号化してもよい。ｒｅｐｏｒｔＱｕａｎｔｉｔｙ情報要素は、ＥＮＵＭＥＲＡＴＥＤ｛ｓａｍｅＡｓＴｒｉｇｇｅｒＱｕａｎｔｉｔｙ，ｂｏｔｈ｝の範囲内の値のＡＳＮ．１符号化に関連付けられた１ビット符号空間を使用することによって、告知メッセージが使用して、拡張プロトコル論理チャネル識別情報（ＸＬＣＩＤ）の最小有効ビットを示してもよい。参照信号受信電力（ＲＳＲＰ）−Ｒａｎｇｅ情報要素を使用して、非限定的な例として値を１に設定することによって、告知メッセージを区別してもよい。ＴｈｒｅｓｈｏｌｄＥＵＴＲＡ情報要素を使用して、これをＲＳＲＰ−Ｒａｎｇｅの値に設定することによって、告知メッセージを区別してもよい。ＴｉｍｅＴｏＴｒｉｇｇｅｒ情報要素の符号空間は、この情報要素のＡＳＮ．１符号化に関連付けられた４ビット符号空間を用いることによって告知メッセージが使用して、４つの最小有効ビットに基づく変数Ｎ−ＴＳＶＮ１を示してもよい。これらのビットを使用して、Ｌ−ＳＶＮを符号化してもよい。「ＥＮＵＭＥＲＡＴＥＤ｛ｒｓｒｐ，ｒｓｒｑ｝」の範囲内の値のＡＳＮ．１符号化に関連付けられた１ビット符号空間を使用する告知メッセージによって、ｔｒｉｇｇｅｒＱｕａｎｔｉｔｙ情報要素を使用して、「ＸＬＣＩＤ」の最大有効ビットを符号化してもよい。
【００４４】
実施形態によっては、情報要素ＲｅｐｏｒｔＣｏｎｆｉｇＥＵＴＲＡは、図８に示すように、告知メッセージを区別するため、またはそのコンテンツを規定するために使用されるいくつかの部分を含んでもよい。たとえば、トリガタイプは、フィールドをイベントに設定することによって告知メッセージを区別するのに使用される、５−ｔｕｐｌｅの一部分でもよい。レポートイベントの選択は、イベントＡ２に設定される判別子の別の部分でもよく、これは、サービングが絶対閾値よりも悪化する場合があることを示す。告知メッセージを区別するのに使用される、情報要素ＲｅｐｏｒｔＣｏｎｆｉｇＥＵＴＲＡの追加部分は、値をＲＳＲＰ−Ｒａｎｇｅに設定してもよい情報要素ＴｈｒｅｓｈｏｌｄＥＵＴＲＡ、および値が１に設定される情報要素ＲＳＲＰ−Ｒａｎｇｅを含んでもよい。実施形態によっては、３０に設定された情報要素Ｈｙｓｔｅｒｅｓｉｓを使用して、告知メッセージを区別してもよい。閾値およびヒステリシスのこの設定は、これらが告知メッセージを示すため、イベントＡ２が測定レポートをトリガしないことを示すものであり、この点は従来型の測定レポートとは異なる。符号空間の残りの部分を使用して、Ｎ−ＴＳＶＮを規定してもよい。たとえば、告知メッセージを示すフィールドの組合せは、トリガされたレポートを示すイベント値、イベントＡ２を示すイベント識別値、２５〜３０の範囲内の値を示すヒステリシス値、１に等しくてもよいＲＳＲＰ値、および／またはＲＳＲＰ−Ｒａｎｇｅを示す閾値ＥＵＴＲＡの値を含んでもよい。従来型のＵＥは、各要素のこの組合せには対処しなくてもよく、告知メッセージを破棄および／または無視してもよい。各要素のこの組合せは、従来型のＵＥにおいて測定レポートをトリガしなくてもよい。
【００４５】
いくつかのＲｅｐｏｒｔＣｏｎｆｉｇＥＵＴＲＡフィールドは、拡張プロトコルに関して条件付きの存在を有する。条件付きの存在を有するＲｅｐｏｒｔＣｏｎｆｉｇＥＵＴＲＡのフィールドの一部が、図９に示してある。告知メッセージにはチャネル状態情報参照信号（ＣＳＩ−ＲＳ）が存在せず、ＵＥは、告知メッセージが検出されると、このフィールドでの既存の値を削除してもよい。告知メッセージには周期的フィールドが存在せず、ＵＥは、告知メッセージが検出されると、このフィールドでの既存の値を削除してもよい。告知メッセージにはｒｅｐｏｒｔＣＧＩフィールドが存在せず、ＵＥは、告知メッセージが検出されると、このフィールドでの既存の値を削除してもよい。告知メッセージにはイベントフィールドが存在しており、対応するイベントＩＤフィールドをイベントＡ２に設定してもよい。告知メッセージにはａ３ＯｒＡ５フィールドが存在せず、ＵＥは、告知メッセージが検出されると、このフィールドでの既存の値を削除してもよい。
【００４６】
図１０には、ＲｅｐｏｒｔＩｎｔｅｒｖａｌ情報要素が示してある。実施形態によっては、ＲｅｐｏｒｔＩｎｔｅｒｖａｌ情報要素の符号空間が、告知メッセージによって使用される。この情報要素のＡＳＮ．１符号化に関連付けられた４ビットを使用して、Ｎ−ＴＳＶＮの４つの最大有効ビットに対応する場合がある最古のＳＶＮを符号化する。
【００４７】
図１１には、ＲＳＲＰ−Ｒａｎｇｅ情報要素が示してある。実施形態によっては、ＲＳＲＰ−Ｒａｎｇｅ情報要素は、告知メッセージを区別するのに使用される１つの要素でもよい。値は１に設定してもよく、これは、ＴＳ  ３６．１３３での「ＲＳＲＰ  Ｍｅａｓｕｒｍｅｎｔ  Ｒｅｐｏｒｔ  Ｍａｐｐｉｎｇ」のマッピング表によれば、−１４０＜ＲＳＲＰ＜−１３９ｄＢｍである。
【００４８】
図１２には、ＴｉｍｅＴｏＴｒｉｇｇｅｒ情報要素が示してある。実施形態によっては、ＴｉｍｅＴｏＴｒｉｇｇｅｒ情報要素の符号空間を、告知メッセージが使用してもよい。この情報要素のＡＳＮ．１符号化に関連付けられた４ビットを使用して、Ｎ−ＴＳＶＮの４つの最小有効ビットに対応する場合がある最新のＳＶＮを符号化してもよい。
【００４９】
図１３には、ｍａｘＣｅｌｌＲｅｐｏｒｔ情報要素が示してある。このｍａｘＣｅｌｌＲｅｐｏｒｔ情報要素は、無線リソース制御（ＲＲＣ）の多重度およびタイプ制約条件の規定に関連してもよい。ｍａｘＣｅｌｌＲｅｐｏｒｔ情報要素は、レポート済みのセルおよび／またはＣＳＩ−ＲＳリソースの最大数を指定してもよい。
【００５０】
図１４には、アプリケーション対応スケジューリングの状態図が示してある。ＲＲＣ接続状態／モード、およびＲＲＣアイドル状態／モードが示してある。ＲＲＣ接続状態でのＵＥは、これまでより多くの電池電力を使用してもよく、接続されたＵＥは、監視、スケジューリング、および他のプロセッサ集中的な機能を必要とする場合がある。ＲＲＣアイドル状態でのＵＥは、機能が低下するので電池寿命を節約することができる。図１４の例示的な状態遷移には、プロトコルフィーチャタイプ＝８が示してあり、これは、ＳＶＮ＝１についてサポートされる。この例は、利用可能な選択肢の一部を使用しなくてもよいが、ＵＥによる全面順守が望ましい場合がある。早期ＤＩＡＴ（ＤＲＸ非活動タイマ）が満了すると、ＵＥをポイント１で同期してもよく（すなわち同期状態にしてもよく）、また間欠受信（ＤＲＸ）モードにしてもよい。ポイント２で早期のＴＡＴ（時刻合せタイマ）が満了すると、ＵＥは、同期状態から非同期状態のＤＲＸモードに移行してもよい。ポイント３で早期のＣＩＡＴ（接続非活動）が満了すると、ＵＥは、ＲＲＣ接続状態からＲＲＣアイドル状態に移行してもよい。ポイント４および５のそれぞれで、動的ＤＲＸ選択および同期ＤＲＸ設定が変化すると、ＵＥは、非同期モードにとどまることができる。プロトコルフィーチャタイプのこの例では（ＰＦＴ＝８）、３つの選択肢を利用可能にしてもよい。１つの選択肢は、ポイント６での動的ＴＡＴ選択とすることができ、これは２重ＴＡＴと呼んでもよい。ポイント７での別の選択肢は、ＵＥがリソースのスケジューリングをより高速に再開できるようにすることでもよく、これは高速ＰＵＣＣＨと呼んでもよい。ポイント８での別の選択肢は、接続非活動タイマの満了時点で未確認リリースを可能にし、それによりＲＲＣアイドル状態に移行することでもよい。
【００５１】
図２０は、本明細書に開示された１つまたは複数の実施形態による動作を実行するように設定された、無線通信ネットワークで使用するためのＵＥの流れ図である。ＵＥ２０００は、送受信機２０２０、プロセッサ回路２００２、および、コンピュータ読取り可能なプログラムコード２０１２を含むメモリ回路２０１０を含む。ＵＥ２０００はさらに、表示装置２０３０、ユーザ入力インターフェース２０４０、およびスピーカ２０５０を含んでもよい。
【００５２】
図２０の送受信機２０２０は、ネットワークノードと通信するように設定されており、本明細書に開示された無線アクセス技術のうち１つまたは複数を使用して、無線エアインタフェースを介して他のＵＥと通信してもよい。プロセッサ回路２００２は、汎用プロセッサおよび／または専用プロセッサ、たとえばマイクロプロセッサおよび／またはデジタル信号プロセッサなど、１つまたは複数のデータ処理回路を含んでもよい。プロセッサ回路２００２は、メモリ回路２０１０においてコンピュータ読取り可能なプログラムコード２０１２を実行して、ＵＥによって実行されるものとして本明細書に記載の動作の少なくとも一部を実行するように設定される。
【００５３】
図２１は、ネットワークノードについて本明細書に開示された１つまたは複数の実施形態に従って設定された、遠隔通信システムで使用するためのネットワークノード２１００の流れ図である。ネットワークノード２１００は、送受信機２１３０（たとえば、無線基地局として設定されているとき）、ネットワークインターフェース２１２０、プロセッサ回路２１０２、および、コンピュータ読取り可能なプログラムコード２１１２を含むメモリ回路２１１０を含むことができる。
【００５４】
図２１の送受信機２１３０は、本明細書に開示された無線アクセスプロトコル動作のうち１つまたは複数を使用して、ＵＥ２０００と通信するように設定される。プロセッサ回路２１０２は、汎用プロセッサおよび／または専用プロセッサ、たとえばマイクロプロセッサおよび／またはデジタル信号プロセッサなど、１つまたは複数のデータ処理回路を含んでもよく、これらは、１つまたは複数のネットワーク全体にわたって配置または分散してもよい。プロセッサ回路２１０２は、メモリ２１１０においてコンピュータ読取り可能なプログラムコード２１１２を実行して、ネットワークノードによって実行されるものとして本明細書に記載の動作および方法の少なくとも一部を実行するように設定される。ネットワークインターフェース２１２０は、他のネットワークノードおよび／またはコアネットワークと通信する。
【００５５】
図２２には、いくつかの実施形態に従って本明細書に開示された動作をプロセッサ回路２００２が実行するように設定する、図２０のＵＥ２０００などのＵＥのメモリ回路２０１０に存在するモジュールが示してある。図２２のモジュールは、図２０のコンピュータ読取り可能なプログラムコード２０１２として実施してもよい。ＵＥ２０００は、受信モジュール２２０２、判定モジュール２２０４、および送信モジュール２２０６を含む。受信モジュール２２０２が動作して、拡張プロトコル向けのネットワークのタイプおよびソフトウェアバージョン番号（Ｎ−ＴＳＶＮ）を示す告知メッセージを含むＲＲＣ接続再設定メッセージを、図２０のプロセッサ回路２００２が送受信機２０２０を介してネットワークノードから受信するように設定する。判定モジュール２２０４が動作して、ＵＥソフトウェアバージョン番号（ＵＥ−ＳＶＮ）が、告知メッセージにおいて受信されるＮ−ＴＳＶＮと互換性があると、プロセッサ回路２００２が判定するように設定する。送信モジュール２２０６が動作して、ＵＥ−ＳＶＮがＮ−ＴＳＶＮと互換性があると判定するのに応答して、送受信機２０２０を介してネットワークノードに、ＵＥ−ＳＶＮを含む初期メッセージをプロセッサ回路２００２が送信するように設定する。
【００５６】
図２３には、いくつかの実施形態に従って本明細書に開示された動作をプロセッサ回路２１０２が実行するように設定する、図２１のネットワークノード２１００などのネットワークノードのメモリ回路２１１０に存在するモジュールが示してある。図２３のモジュールは、図２２のコンピュータ読取り可能なプログラムコード２１１２として実施してもよい。ネットワークノード２１００は、送信モジュール２３０２、および受信モジュール２３０４を含む。送信モジュール２３０２が動作して、拡張プロトコル向けのネットワークのタイプおよびソフトウェアバージョン番号（Ｎ−ＴＳＶＮ）を示す告知メッセージを含むＲＲＣ接続再設定メッセージを、送受信機２１３０を介してＵＥにプロセッサ回路２１０２が送信するように設定する。受信モジュール２３０４が動作して、告知メッセージに応答して、Ｎ−ＴＳＶＮと互換性があるＵＥのタイプおよびソフトウェアバージョン番号（ＵＥ−ＴＳＶＮ）を示す初期メッセージを、送受信機２１３０を介してＵＥ２０００から、プロセッサ回路２１０２が受信するように設定する。
【００５７】
さらなる規定および実施形態
【００５８】
本開示の様々な実施形態の上記説明では、本明細書において使用される専門用語は、具体的な実施形態を説明するためだけのものであり、本発明を限定するものではないことを理解されたい。特に規定のない限り、本明細書において使用されている全ての用語（技術用語および科学用語）は、本開示が属する当業者によって普通に理解されているのと同じ意味を有する。普通使用される辞書に規定されている用語などの各用語は、本明細書および関連技術との関連で、その意味に一貫している意味を有するものと解釈すべきであり、本明細書で明示的にそう規定していない限り、理想的または過度に形式的な判断で解釈されるものではないことがさらに理解されよう。
【００５９】
ある要素が別の要素に「接続」、「結合」、「応答」しているか、またはその変形形態とみなされるとき、この要素は、その他の要素に直接接続、結合、もしくは応答することができ、または介在要素が存在してもよい。対照的に、ある要素が別の要素に「直接接続」、「直接結合」、「直接応答」しているか、またはその変形形態とみなされるとき、介在要素は存在しない。同様の番号は、全体を通して同様の要素を指す。さらに、「結合」、「接続」、「応答」していること、またはその変形形態は、本明細書では、無線で結合、接続、または応答することを含んでもよい。本明細書では、単数形「ａ」、「ａｎ」、および「ｔｈｅ」は、文脈から明らかにそうでない場合を除き、複数形も含むものである。簡潔および／または明確にするため、よく知られた機能または構造を詳細に説明しないことがある。用語「および／または」は、リストアップされた関連アイテムのうち、１つまたは複数のありとあらゆる組合せを含む。
【００６０】
本明細書では、用語「ｃｏｍｐｒｉｓｅ」、「ｃｏｍｐｒｉｓｉｎｇ」、「ｃｏｍｐｒｉｓｅｓ」、「ｉｎｃｌｕｄｅ」、「ｉｎｃｌｕｄｉｎｇ」、「ｉｎｃｌｕｄｅｓ」、「ｈａｖｅ」、「ｈａｓ」、「ｈａｖｉｎｇ」、またはその変形形態は、オープンエンドであり、１つまたは複数の所定の特徴、整数、要素、ステップ、構成要素、または機能を含むが、１つまたは複数の他の特徴、整数、要素、ステップ、構成要素、機能、またはそのグループの存在または追加を排除するものではない。さらに、本明細書では、一般的な略語「ｅ．ｇ．」は、ラテン語のフレーズ「ｅｘｅｍｐｌｉ  ｇｒａｔｉｓ」に由来するものであり、これを使用して、前述のアイテムの１つまたは複数の一般的な例を導入または指定してもよく、これは、このようなアイテムを限定するものではない。一般的な略語「ｉ．ｅ」は、ラテン語のフレーズ「ｉｄ  ｅｓｔ」に由来するものであり、これを使用して、より一般的に列挙されたものから特定のアイテムを指定してもよい。
【００６１】
コンピュータ実装方法、装置（システムおよび／もしくは装置）、ならびに／またはコンピュータプログラム製品のブロック図および／または流れ図を参照して、例示的な実施形態を本明細書において説明する。ブロック図および／または流れ図のブロック、ならびにブロック図および／または流れ図での各ブロックの組合せは、１つまたは複数のコンピュータ回路によって実行されるコンピュータプログラム命令によって実施できることが理解される。これらのコンピュータプログラム命令は、汎用コンピュータ回路、専用コンピュータ回路、および／または他のプログラマブルデータ処理回路のプロセッサ回路に提供されて、マシンを生成してもよく、その結果、この命令は、コンピュータおよび／または他のプログラマブルデータ処理装置のプロセッサを介して実行され、各トランジスタ、記憶場所に記憶された値、およびこのような回路内の他のハードウェア構成部品を変換および制御して、ブロック図および／または（１つもしくは複数の）流れ図ブロックにおいて指定された機能／動作を実施し、これにより、ブロック図および／または（１つもしくは複数の）流れ図ブロックにおいて指定された機能／動作を実施するための手段（機能）および／または構造を作製する。
【００６２】
これらのコンピュータプログラム命令はまた、コンピュータまたは他のプログラマブルデータ処理装置に、特定のやり方で機能させることのできる、有形のコンピュータ読取り可能な媒体に記憶してもよく、その結果、コンピュータ読取り可能な媒体に記憶された命令は、ブロック図および／または流れ図の１つもしくは複数のブロックにおいて指定された機能／動作を実施する命令を含む製品を生成する。
【００６３】
有形の非一時的コンピュータ読取り可能媒体は、電子的、磁気的、光学的、電磁的、または半導体のデータ記憶システム、機器、もしくは装置を含んでもよい。コンピュータ読取り可能な媒体のより具体的な例には、以下のもの、すなわち、ポータブルコンピュータディスケット、ランダムアクセスメモリ（ＲＡＭ）回路、リードオンリメモリ（ＲＯＭ）回路、消去可能なプログラマブルリードオンリメモリ（ＥＰＲＯＭまたはフラッシュメモリ）回路、携帯用コンパクトディスクリードオンリメモリ（ＣＤ−ＲＯＭ）、および携帯用デジタルビデオディスクリードオンリメモリ（ＤＶＤ／ＢｌｕｅＲａｙ）が含まれるはずである。
【００６４】
コンピュータプログラム命令はまた、コンピュータおよび／または他のプログラマブルデータ処理装置にロードして、コンピュータおよび／または他のプログラマブル装置上で一連の動作ステップを実行して、コンピュータ実装プロセスを生成し、その結果、コンピュータまたは他のプログラマブル装置上で実行される命令が、ブロック図および／または流れ図の１つもしくは複数のブロックにおいて指定された機能／動作を実施するためのステップを提供する。したがって、本開示の実施形態は、デジタル信号プロセッサなどのプロセッサ上で実行されるハードウェアおよび／またはソフトウェア（ファームウェア、常駐ソフトウェア、マイクロコードなどを含む）で実施してもよく、これらはまとめて、「回路」、「モジュール」、またはその変形形態と呼んでもよい。
【００６５】
代替実装形態によっては、各ブロックに記された機能／動作が、流れ図に記された順序から外れてもよいことにも留意されたい。たとえば、連続して示した２つのブロックは、実際に、実質上同時に実行してもよく、各ブロックは、必要とする機能／動作に応じて、逆の順序で実行してもよい場合がある。さらに、流れ図および／またはブロック図の所与のブロックの機能は、複数のブロックに分離されてもよく、かつ／または、流れ図および／もしくはブロック図の２つ以上のブロックの機能が少なくとも部分的に統合されてもよい。最後に、図示されている各ブロック間に、他のブロックを追加／挿入してもよい。さらに、図によっては、通信の主な方向を示すために通信経路上に矢印を含むが、図示された矢印とは逆向きに通信が実行されてもよいことを理解されたい。
【００６６】
前述の説明および各図面とともに、数多くの異なる実施形態を本明細書に開示してきた。これらの実施形態のあらゆる組合せおよび部分的な組合せを文字通り説明し、図示することは、必要以上繰返しが多くて、分かりにくくなることが理解されよう。したがって、図面を含む本明細書は、実施形態の種々の例示的な組合せおよび部分的な組合せ、ならびにこれらの作製および使用の方式およびプロセスの完全な記述を構成するものと解釈され、このような任意の組合せまたは部分的な組合せに対してクレームを支持するものとする。
【００６７】
本発明の原理から実質的に逸脱することなく、数多くの変形および修正を各実施形態に加えることができる。このようなあらゆる変形および修正は、本明細書においては、本発明の範囲内に含まれるものとする。
【図１−２】
2019501578.tif 000003
【図３】
2019501578.tif 000004
【図４】
2019501578.tif 000005
【図５】
2019501578.tif 000006
【図６】
2019501578.tif 000007
【図７Ａ】
2019501578.tif 000008
【図７Ｂ】
2019501578.tif 000009
【図８】
2019501578.tif 000010
【図９】
2019501578.tif 000011
【図１０−１３】
2019501578.tif 000012
【図１４】
2019501578.tif 000013
【図１５】
2019501578.tif 000014
【図１６】
2019501578.tif 000015
【図１７】
2019501578.tif 000016
【図１８】
2019501578.tif 000017
【図１９】
2019501578.tif 000018
【図２０】
2019501578.tif 000019
【図２１】
2019501578.tif 000020
【図２２】
2019501578.tif 000021
【図２３】
2019501578.tif 000022
【国際調査報告】
2019501578.tif 000023
2019501578.tif 000024
2019501578.tif 000025